(57)【要約】【課題】装置の薄型化を図りつつも、モータからの発熱をより一層効果的に外部に放出させることのできる画像読み取り装置を提供する。【解決手段】原稿画像を読み取るＣＩＳユニット１５は、駆動プーリ７と従動プーリ８との間に係回される無端ベルト９の一部に固定され、モータ５の回転に伴う無端ベルト９の周回移動に伴い、副走査方向に移動する。駆動プーリ７を固定するフレーム部材１０はモータ５に接触し、モータ５から生じる熱がフレーム部材１０に伝導する。フレーム部材１０には熱伝導部材としての板バネ１１が設けられており、板バネ１１の先端が、原稿台を構成するガラス板４の裏面に弾接している。これによりモータ５から生じる熱は、フレーム１０、板バネ１１を介してガラス板４に伝導し、当該ガラス板４が放熱手段として利用され、モータ５から生じた熱が効果的に外部に放出される。【選択図】図１
2009253328.tif 000002
【特許請求の範囲】
【請求項１】
原稿載置面に載置された原稿の画像を、副走査方向に移動しながら光学的に読み取る読
み取りユニットと、
前記読み取りユニットの駆動源を構成するモータと、備えた画像読み取り装置であって
、
前記モータから生じる熱を、前記原稿載置面を構成する透光性材料で形成されたプレー
ト状体へと伝える熱伝導部材を備えている、
ことを特徴とする画像読み取り装置。
【請求項２】
請求項１に記載の画像読み取り装置において、前記プレート状体が、ガラス板であるこ
とを特徴とする画像読み取り装置。
【請求項３】
請求項１または２に記載の画像読み取り装置において、前記熱伝導部材が、板バネによ
り構成されていることを特徴とする画像読み取り装置。
【発明の詳細な説明】
【技術分野】
【０００１】
本発明は、原稿台ガラスに載置された原稿の画像を、副走査方向に移動しながら光学的
に読み取る読み取りユニットを備えた画像読み取り装置に関する。
【背景技術】
【０００２】
原稿台ガラスに載置された原稿の画像を光学的に読み取る光電変換素子を備えた読み取
りユニット（イメージセンサ）を副走査方向に移動させる構成を備えた画像読み取り装置
（特にフラットベッド型のイメージスキャナ）は、従来から種々提案されている。
【０００３】
このような画像読み取り装置では、読み取りユニットは副走査方向に沿って掛け渡され
た無端ベルトの一部と係合し、この無端ベルトがモータの駆動力により周回移動すること
で、副走査方向に沿って移動しながら原稿台ガラス上の原稿の画像を読み取るように構成
されている（例えば、特許文献１参照）。
【特許文献１】特開２００５−８４３８８号公報
【発明の開示】
【発明が解決しようとする課題】
【０００４】
ここでイメージセンサの方式にはＣＣＤ（Charge Coupled Devices）方式とＣＩＳ（Co
ntact Image Sensor）方式とがあるが、後者のＣＩＳ方式は装置の薄型化を図ることがで
き、特にインクジェットプリンタの上部にフラットベッド型のイメージスキャナを備えて
構成された所謂インクジェット複合機においてよく用いられている。
【０００５】
そしてこの様なインクジェット複合機では特に、より一層の小型化の要請が強く、従っ
てイメージスキャナにおいてもより一層の小型化（薄型化）が図られており、それ故に読
み取りユニットの駆動源を構成するモータも、より一層小型のものが用いられるようにな
っている。
【０００６】
しかしモータの小型化に伴って、モータからの発熱が顕著となり、加えて装置の薄型化
に伴い装置内部の放熱空間が狭くなることと相俟って、モータからの発熱の問題がより一
層顕在化してきている。
【０００７】
そこで本発明はこの様な状況に鑑み成されたものであり、その目的は、装置の薄型化を
図りつつも、モータからの発熱をより一層効果的に外部に放出させることのできる画像読
み取り装置を提供することにある。
【課題を解決するための手段】
【０００８】
上記課題を解決するために、本発明の第１の態様に係る画像読み取り装置は、原稿載置
面に載置された原稿の画像を、副走査方向に移動しながら光学的に読み取る読み取りユニ
ットと、前記読み取りユニットの駆動源を構成するモータと、備えた画像読み取り装置で
あって、前記モータから生じる熱を、前記原稿載置面を構成する透光性材料で形成された
プレート状体へと伝える熱伝導部材を備えていることを特徴とする。
【０００９】
本態様によれば、画像読み取り装置は読み取りユニットの駆動源を構成するモータから
生じる熱を、原稿載置面を構成する透光性材料で形成されたプレート状体へと伝導させる
熱伝導部材を備えているので、面積の極めて広い原稿載置面（プレート状体）を放熱手段
として利用することで、モータから生じた熱を効果的に外部に放出することができる。従
って装置の薄型化を図ることにより装置内部の放熱空間が狭くなっても、モータから生じ
た熱を効果的に外部に放出することができる。
【００１０】
本発明の第２の態様に係る画像読み取り装置は、第１の態様に係る画像読み取り装置に
おいて、前記プレート状体が、ガラス板であることを特徴とする。本態様によれば、放熱
手段として利用されるプレート状体がガラス板であるので、透明なプレート状体として熱
伝導率の良好なガラス板を用いることで、モータから生じた熱を効果的に外部に放出する
ことができる。
【００１１】
本発明の第３の態様に係る画像読み取り装置は、第１のまたは第２の態様に係る画像読
み取り装置において、前記熱伝導部材が板バネにより構成されていることを特徴とする。
本態様によれば、前記熱伝導部材が板バネにより構成されているので、放熱手段として
利用するプレート状体との接触面積を容易に確保することができる。
【００１２】
またその付勢力を利用してプレート状体に密着させることができるので、前記熱伝導部
材とプレート状体とを接触させる手段を別途用いる必要がなく、組み立て作業の容易化及
び低コスト化を図ることができる。
【発明を実施するための最良の形態】
【００１３】
以下、図１乃至図３を参照しながら本発明の実施形態について説明する。ここで図１は
本発明の一実施形態に係る画像読み取り装置１の全体平面図、図２はモータ取付部周辺の
斜視図、図３は画像読み取り装置１の断面図（図１のＡ−Ａ断面図）である。
【００１４】
尚、以下では図１の左右方向（ＣＩＳユニット１５の移動方向）を「副走査方向」と言
い、図１の上下方向（ＣＩＳユニット１５の長手方向）を「主走査方向」と言うこととす
る。
【００１５】
画像読み取り装置１は、所謂フラットベッド原稿密着型イメージスキャナであり、装置
本体の基体を構成する本体下ケース２と、原稿台（原稿載置面４ａ）を構成する透光性材
料で形成されたプレート状体の一例であるガラス板４と、本体上ケース（図示せず）と、
を備えており、平面視において副走査方向にやや長い方形の形状を成している。
【００１６】
本体下ケース２において、その内底部には、断面凸状をなすガイドレール１３が、副走
査方向に沿って延びるように、本体下ケース２に樹脂成形により一体的に形成されており
、また主走査方向においては、図１に示すように装置のほぼ中央部に形成されている。
【００１７】
ガラス板４の下部には、主走査方向に延びる形状を成す、読み取りユニットとしてのＣ
ＩＳ（Contact
Image Sensor）ユニット１５が配置されている。このＣＩＳユニット１５には、原稿載置
面４ａ上に載置された原稿（図示せず）を光学的に読み取るための光電変換部（図示せず
）が、主走査方向に沿って配列されている。  ＣＩＳユニット１５は、ガイドレール１３
とガラス板４との間に位置しており、ＣＩＳユニット１５の下部に設けられたガイドレー
ル１３によって、ＣＩＳユニット１５が副走査方向に沿って真っ直ぐに移動するよう案内
されるようになっている。
【００１８】
尚、ＣＩＳユニット１５は図示を省略する付勢手段によってガラス板４に向けて付勢さ
れた状態に設けられており、図示を省略する摺動部材や従動ローラなどを介してガラス板
４の裏面に接しながら、副走査方向に移動するよう構成されている。
【００１９】
一方、本体下ケース２には、駆動プーリ７と従動プーリ８とが、副走査方向に離間して
配置されており、これら駆動プーリ７と従動プーリ８には、無端ベルト９が副走査方向に
沿って係回されている。
【００２０】
駆動プーリ７の側にはモータ５が配置されており、このモータ５の回転軸に取り付けら
れたウォームギア６と、駆動プーリ７に一体的に形成された平歯車部（図示せず）とが噛
合することにより、モータ５の動力が駆動プーリ７に伝達され、そして無端ベルト９が駆
動プーリ７及び従動プーリ８の周囲を周回移動するようになっている。
【００２１】
ＣＩＳユニット１５は、無端ベルト９の一部に固定されており、従ってモータ５が回転
すると、無端ベルト９の周回移動に伴いＣＩＳユニット１５が副走査方向に牽引され、移
動するようになっている。
【００２２】
次に、モータ５においてウォームギア６が設けられる側と反対側の回転軸には、回転検
出センサ１８が設けられている。回転検出センサ１８は、外周部に透光部（図示せず）と
遮光部（図示せず）とが円周方向に沿って交互に配置された、モータ５の回転軸に取り付
けられる円盤状スケール１８ａと、当該円盤状スケール１８ａに対して発光する発光部お
よび、円盤状スケール１８ａを通過した光を受光する受光部を備えて構成された検出部１
８ｂを備えて構成されている。尚、符号１７は、検出部１８ｂを取り付ける基板を示して
いる。
【００２３】
従ってモータ５の回転に伴い円盤状スケール１８ａが回転すると、検出部１８ｂは円盤
状スケール１８ａを通過する光によって形成される立ち上がり信号と立ち下がり信号とを
出力し、これにより画像読み取り装置１の制御部（図示せず）は、ＣＩＳユニットの副走
査方向における位置を把握できるようになっている。
【００２４】
次に、符号１０は、金属板材により形成されるフレーム部材を示しており、このフレー
ム部材１０により、駆動プーリ７が軸支されている。このフレーム部材１０はモータ５と
接触しており、モータ５により生じた熱が、フレーム部材１０に伝導するようになってい
る。
【００２５】
フレーム１０には熱伝導部材としての板バネ１１が設けられており、この板バネ１１の
先端部分１１ａがガラス板４の裏面に面接触している。板バネ１１は、バネ性を発揮する
金属板材（例えば、ステンレス鋼）により形成されており、その付勢力によって、先端部
分１１ａがガラス板４の裏面に自ら弾接するように、フレーム１０に取付固定されている
。
【００２６】
従ってモータ５により生じた熱は、フレーム部材１０及び板バネ１１を介してガラス板
４に伝導され、当該ガラス板４の広い面（原稿載置面４ａ）から放熱される。即ち、面積
の極めて広い原稿載置面４ａ（ガラス板４）をモータ５の放熱手段として利用するよう構
成されており、これによりモータ５から生じた熱を効果的に外部に放出することができる
。従って画像読み取り装置１の薄型化を図ることにより装置内部の放熱空間が狭くなって
も、モータ５から生じた熱を効果的に外部に放出することができる。
【００２７】
また本実施形態ではフレーム部材１０からガラス板４へモータ５の熱を伝導させる熱伝
導部材が板バネ１１により構成されているので、ガラス板４との接触面積を容易に確保す
ることができる。またその付勢力を利用してガラス板４に密着させることができるので、
熱伝導部材とガラス板４とを接触させる手段を別途用いる必要がなく、組み立て作業の容
易化及び低コスト化を図ることができる。
【００２８】
尚、本実施形態ではモータ５で生じる熱を、フレーム部材１０を介して板バネ１１に伝
えているが、フレーム１０を介さずに、板バネ１１を直接モータ５に接触させてガラス板
４へと伝えることも可能である。
【００２９】
また本実施形態では熱伝導部材として板バネ１１を用いたが、これに限られず、モータ
５で生じた熱をガラス板４に伝導させることができる部材であれば、どのようなものであ
っても構わない。
【００３０】
また熱伝導部材を、ガラス板４に加えて、原稿読み取り装置１のその他の構成要素、例
えば外部筐体を構成する本体下ケース２などにも接触させることも可能である。その様に
構成することにより、モータ５で生じた熱をより一層効果的に外部に放出することが可能
となる。
【００３１】
以上、フラットベッド原稿密着型のイメージスキャナを例に本発明の実施形態を説明し
たが、本発明は縮小光学系を用いたフラットベッド型イメージスキャナに適用することも
できる。また、本発明は、縮小光学系を用いたミラー移動型のフラットベッド型イメージ
スキャナに適用することもできる。また、本発明はイメージスキャナとプリンタが一体に
なった複写機にも当然適用することができる。
【図面の簡単な説明】
【００３２】
【図１】本発明に係る画像読み取り装置の全体平面図。
【図２】本発明に係る画像読み取り装置の、モータ取付部周辺の斜視図。
【図３】本発明に係る画像読み取り装置の断面図（図１のＡ−Ａ断面図）。
【符号の説明】
【００３３】
１  画像読み取り装置、２  本体下ケース、３  本体上ケース、４  ガラス板（原稿台）
、４ａ  原稿載置面、５  モータ、６  ウォームギア、７  駆動プーリ、８  従動プーリ
、９  無端ベルト、１０  フレーム部材、１１  板バネ（熱伝導部材）、１３  ガイドレ
ール、１５  ＣＩＳユニット、１７  基板、１８  回転検出センサ、１８ａ  円盤状スケ
ール、１８ｂ  検出部、
【図１】
2009253328.tif 000003
【図２】
2009253328.tif 000004
【図３】
2009253328.tif 000005